(57)【要約】【課題】施設を実際に利用したユーザーにのみ特典情報を提供することが可能な特典付与装置、特典付与方法、特典取得プログラム、及び特典取得方法を提供すること。【解決手段】特典付与装置は、施設を特定するための施設特定情報と、画像データに含まれる撮影位置情報とをユーザー端末から受信する受信処理部と、前記施設特定情報が示す施設の所在地と前記撮影位置情報が示す撮影位置とが一致又は予め定められた範囲内である場合に、前記施設で利用可能な特典を示す特典情報を前記ユーザー端末に送信する送信処理部とを備える。【選択図】図５
2019219797.tif 000002
【特許請求の範囲】
【請求項１】
施設を特定するための施設特定情報と、画像データに含まれる撮影位置情報とをユーザー端末から受信する受信処理部と、
前記施設特定情報が示す施設の所在地と前記撮影位置情報が示す撮影位置とが一致又は予め定められた範囲内である場合に、前記施設で利用可能な特典を示す特典情報を前記ユーザー端末に送信する送信処理部と、
を備える、特典付与装置。
【請求項２】
前記施設特定情報が、前記ユーザー端末においてユーザーにより入力又は選択される情報である、
請求項１に記載の特典付与装置。
【請求項３】
前記施設特定情報が示す施設の所在地と前記撮影位置情報が示す撮影位置とが一致又は予め定められた範囲内である場合に、前記画像データと前記特典情報とを関連付ける関連付け処理部を更に備える、
請求項１又は請求項２に記載の特典付与装置。
【請求項４】
前記関連付け処理部は、前記施設特定情報が示す施設の所在地と前記撮影位置情報が示す撮影位置とが一致又は予め定められた範囲内である場合に、前記画像データと前記特典情報との対応関係を示す対応関係情報を記憶部に記憶させる、
請求項３に記載の特典付与装置。
【請求項５】
前記受信処理部は、前記撮影位置情報を含む前記画像データを前記ユーザー端末から受信し、
前記関連付け処理部は、前記施設特定情報が示す施設の所在地と前記撮影位置情報が示す撮影位置とが一致又は予め定められた範囲内である場合に、前記画像データに前記特典情報を合成した合成画像データを生成する、
請求項３に記載の特典付与装置。
【請求項６】
前記関連付け処理部は、前記特典情報の少なくとも一部が視認不可能な態様で、前記画像データに前記特典情報を合成した前記合成画像データを生成する、
請求項５に記載の特典付与装置。
【請求項７】
前記送信処理部は、前記関連付け処理部により前記特典情報が合成された前記合成画像データを前記ユーザー端末に送信する、
請求項５又は請求項６に記載の特典付与装置。
【請求項８】
前記受信処理部は、前記撮影位置情報を含む前記画像データ及び前記ユーザー端末のユーザーを示すユーザー識別情報を前記ユーザー端末から受信し、
前記関連付け処理部は、前記画像データと前記ユーザー識別情報との対応関係を示す前記対応関係情報を前記記憶部に記憶させる、
請求項４に記載の特典付与装置。
【請求項９】
前記送信処理部は、前記画像データを前記ユーザーとは異なる別ユーザー宛てに送信するとき、前記画像データに関連付けられている前記特典情報とは異なる特典情報を前記画像データに合成した合成画像データとして前記別ユーザー宛てに送信する、
請求項８に記載の特典付与装置。
【請求項１０】
前記送信処理部は、前記画像データに含まれる特定の被写体の種類又は数に応じて異なる前記特典情報を前記ユーザー端末に送信する、
請求項１〜９のいずれかに記載の特典付与装置。
【請求項１１】
前記送信処理部は、前記画像データに含まれる撮影日時情報が示す撮影日時が特定条件を満たしている場合に、前記特典情報を前記ユーザー端末に送信する、
請求項１〜１０のいずれかに記載の特典付与装置。
【請求項１２】
施設を特定するための施設特定情報と、画像データに含まれる撮影位置情報とをユーザー端末から受信することと、
前記施設特定情報が示す施設の所在地と前記撮影位置情報が示す撮影位置とが一致又は予め定められた範囲内である場合に、前記施設で利用可能な特典を示す特典情報を前記ユーザー端末に送信することと、
を含む、特典付与方法。
【請求項１３】
操作部及び表示部を備えるユーザー端末のプロセッサーに、
施設を特定するための施設特定情報の入力操作又は選択操作を受け付けることと、
画像データに含まれる撮影位置情報と、前記施設特定情報とを特典付与装置に送信することと、
前記施設で利用可能な特典を示す特典情報を前記特典付与装置から受信することと、
前記画像データを、前記特典情報が重畳表示される第１表示態様と前記特典情報が重畳表示されない第２表示態様との間で表示態様を切替可能に前記表示部に表示させることと、
を実行させる、特典取得プログラム。
【請求項１４】
施設を特定するための施設特定情報の入力操作又は選択操作を受け付けることと、
画像データ又は前記画像データに含まれる撮影位置情報と、前記施設特定情報とを特典付与装置に送信することと、
前記施設で利用可能な特典を示す特典情報を前記特典付与装置から受信することと、
前記画像データを、前記特典情報が重畳表示される第１表示態様と前記特典情報が重畳表示されない第２表示態様との間で表示態様を切替可能に表示部に表示させることと、
を含む、特典取得方法。
【発明の詳細な説明】
【技術分野】
【０００１】
本発明は、特典付与装置、特典付与方法、特典取得プログラム、及び特典取得方法に関する。
【背景技術】
【０００２】
飲食店において顧客が顧客端末で撮影した料理写真をサーバーに送信すると、サーバーによってクーポンが発行されて、顧客端末の画面にクーポンの情報が表示されるサービスシステムが知られている（例えば、特許文献１参照）。
【先行技術文献】
【特許文献】
【０００３】
【特許文献１】特開２０１７−２２７９４５号公報
【発明の概要】
【発明が解決しようとする課題】
【０００４】
前記サービスシステムでは、顧客端末からサーバーに送信される画像が本当に前記飲食店で撮影された料理写真であるかどうかを確認する処理は特に行われない。よって、前記飲食店を実際には利用していないユーザーに対してクーポンを発行してしまうおそれがある。
【０００５】
本発明の目的は、施設を実際に利用したユーザーにのみ特典情報を提供することが可能な特典付与装置、特典付与方法、特典取得プログラム、及び特典取得方法を提供することにある。
【課題を解決するための手段】
【０００６】
本発明に係る特典付与装置は、施設を特定するための施設特定情報と、画像データに含まれる撮影位置情報とをユーザー端末から受信する受信処理部と、前記施設特定情報が示す施設の所在地と前記撮影位置情報が示す撮影位置とが一致又は予め定められた範囲内である場合に、前記施設で利用可能な特典を示す特典情報を前記ユーザー端末に送信する送信処理部とを備える。
【０００７】
本発明に係る特典付与方法は、施設を特定するための施設特定情報と、画像データに含まれる撮影位置情報とをユーザー端末から受信することと、前記施設特定情報が示す施設の所在地と前記撮影位置情報が示す撮影位置とが一致又は予め定められた範囲内である場合に、前記施設で利用可能な特典を示す特典情報を前記ユーザー端末に送信することとを含む。
【０００８】
本発明に係る特典取得プログラムは、操作部及び表示部を備えるユーザー端末のプロセッサーに、施設を特定するための施設特定情報の入力操作又は選択操作を受け付けることと、画像データに含まれる撮影位置情報と、前記施設特定情報とを特典付与装置に送信することと、前記施設で利用可能な特典を示す特典情報を前記特典付与装置から受信することと、前記画像データを、前記特典情報が重畳表示される第１表示態様と前記特典情報が重畳表示されない第２表示態様との間で表示態様を切替可能に前記表示部に表示させることとを実行させるプログラムである。
【０００９】
本発明に係る特典取得方法は、施設を特定するための施設特定情報の入力操作又は選択操作を受け付けることと、画像データ又は前記画像データに含まれる撮影位置情報と、前記施設特定情報とを特典付与装置に送信することと、前記施設で利用可能な特典を示す特典情報を前記特典付与装置から受信することと、前記画像データを、前記特典情報が重畳表示される第１表示態様と前記特典情報が重畳表示されない第２表示態様との間で表示態様を切替可能に表示部に表示させることとを含む。
【発明の効果】
【００１０】
本発明によれば、施設を実際に利用したユーザーにのみ特典情報を提供することが可能な特典付与装置、特典付与方法、特典取得プログラム、及び特典取得方法が提供される。
【図面の簡単な説明】
【００１１】
【図１】図１は、本発明の実施形態に係る特典付与システムの構成を示す図である。
【図２】図２は、本発明の実施形態に係る特典付与装置で用いられる店舗情報の一例を示す図である。
【図３】図３は、本発明の実施形態に係る特典付与装置で用いられる対応関係情報の一例を示す図である。
【図４】図４は、本発明の実施形態に係るユーザー端末で実行される特典取得処理の手順の一例を示すフローチャートである。
【図５】図５は、本発明の実施形態に係る特典付与装置で実行される特典付与処理の手順の一例を示すフローチャートである。
【図６】図６は、本発明の実施形態に係るユーザー端末で表示される表示画面の一例を示す図である。
【図７】図７は、本発明の実施形態に係るユーザー端末で表示される表示画面の一例を示す図である。
【図８】図８は、本発明の実施形態に係るユーザー端末で表示される表示画面の一例を示す図である。
【図９】図９は、本発明の実施形態に係るユーザー端末で表示される表示画面の一例を示す図である。
【図１０】図１０は、本発明の実施形態に係るユーザー端末で表示される表示画面の一例を示す図である。
【図１１】図１１は、本発明の実施形態に係るユーザー端末で表示される表示画面の一例を示す図である。
【図１２】図１２は、本発明の実施形態に係るユーザー端末で表示される表示画面の一例を示す図である。
【図１３】図１３は、本発明の実施形態に係るユーザー端末で表示される表示画面の一例を示す図である。
【図１４】図１４は、本発明の実施形態に係るユーザー端末で表示される表示画面の一例を示す図である。
【図１５】図１５は、本発明の実施形態に係る特典付与装置で実行される別ユーザーへの特典付与処理の手順の一例を示すフローチャートである。
【図１６】図１６は、本発明の実施形態に係る特典付与装置で生成される別ユーザー宛ての電子メールメッセージの一例を示す図である。
【図１７】図１７は、本発明の実施形態に係るユーザー端末で表示される店舗別ページの一例を示す図である。
【発明を実施するための形態】
【００１２】
以下添付図面を参照しながら、本発明の実施形態について説明し、本発明の理解に供する。なお、以下の実施形態は、本発明を具体化した一例であって、本発明の技術的範囲を限定するものではない。
【００１３】
［特典付与システム１］
図１に示すように、本発明の実施形態に係る特典付与システム１は、特典付与装置２とユーザー端末３とを含む。特典付与装置２及びユーザー端末３は、インターネット、ＬＡＮ、ＷＡＮ、又は公衆電話回線などの通信網Ｎ１を介して通信可能である。
【００１４】
［特典付与装置２］
図１に示されるように、特典付与装置２は、制御部２１、記憶部２２、通信Ｉ／Ｆ２３などを備えるサーバー装置である。なお、特典付与装置２は、１台のコンピューターに限らず、複数台のコンピューターが協働して動作するコンピューターシステムであってもよい。また、特典付与装置２で実行される各種の処理は、一又は複数のプロセッサーによって分散して実行されてもよい。
【００１５】
通信Ｉ／Ｆ２３は、特典付与装置２を有線又は無線で通信網Ｎ１に接続し、通信網Ｎ１を介してユーザー端末３などの外部機器との間で所定の通信プロトコルに従ったデータ通信を実行するための通信インターフェースである。
【００１６】
記憶部２２は、各種の情報を記憶するＨＤＤ（Ｈａｒｄ  Ｄｉｓｋ  Ｄｒｉｖｅ）又はＳＳＤ（Ｓｏｌｉｄ  Ｓｔａｔｅ  Ｄｒｉｖｅ）などの不揮発性の記憶部である。記憶部２２には、図２に示される店舗情報Ｄ１、図３に示される対応関係情報Ｄ２などが記憶される。
【００１７】
図２に示されるように、店舗情報Ｄ１には、店舗（本発明の「施設」の一例）ごとに、対応する「店舗ＩＤ」、「店舗名」、「所在地情報」などの情報が含まれる。なお、本実施形態では、前記店舗が飲食店である場合について説明する。なお、本発明の「施設」は、飲食店などの店舗に限らず、例えば新年会、忘年会、バーベキュー、宴会、懇親会、同窓会、社員旅行、ゴルフコンペ、観光などの各種のイベントで使用されるイベント会場、ホテル、ゴルフ場、観光名所などの施設であってもよい。「店舗ＩＤ」は、前記店舗を識別するための識別情報である。「店舗名」は、前記店舗の名称である。「所在地情報」は、前記店舗の所在地を示す情報であって、例えば、前記店舗の所在地に対応する経度及び緯度を示す情報である。なお、店舗情報Ｄ１には、前記店舗に関する他の情報（例えば、最寄り駅、エリア、平均予算、電話番号、周辺地図、メニュー、店舗別ページのＵＲＬなど）が含まれてもよい。
【００１８】
対応関係情報Ｄ２は、後述の特典付与処理（図５参照）において必要に応じて記憶部２２に記憶される情報である。対応関係情報Ｄ２の詳細については後述する。
【００１９】
なお、他の実施形態として、店舗情報Ｄ１及び対応関係情報Ｄ２の一部又は全部が、特典付与装置２から通信網Ｎ１を介してアクセス可能な他のサーバー装置に記憶されてもよい。この場合、特典付与装置２の制御部２１は、当該他のサーバー装置から店舗情報Ｄ１及び対応関係情報Ｄ２の一部又は全部を必要に応じて取得する。
【００２０】
さらに、記憶部２２には、制御部２１に後述の特典付与処理（図５参照）などを実行させるための特典付与プログラムなどの制御プログラムが記憶されている。例えば、前記特典付与プログラムは、ＣＤ又はＤＶＤなどのコンピューター読取可能な記録媒体に非一時的に記録されており、特典付与装置２が備えるＣＤドライブ又はＤＶＤドライブなどの読取装置（不図示）で読み取られて記憶部２２に記憶される。
【００２１】
制御部２１は、ＣＰＵ、ＲＯＭ、及びＲＡＭなどの制御機器を有する。前記ＣＰＵは、各種の演算処理を実行するプロセッサーである。前記ＲＯＭは、前記ＣＰＵに各種の演算処理を実行させるためのＢＩＯＳ及びＯＳなどの制御プログラムが予め記憶される不揮発性の記憶部である。前記ＲＡＭは、各種の情報を記憶する揮発性又は不揮発性の記憶部であり、前記ＣＰＵが実行する各種の処理の一時記憶メモリー（作業領域）として使用される。そして、制御部２１は、前記ＲＯＭ又は記憶部２２に予め記憶された各種の制御プログラムを前記ＣＰＵで実行することにより特典付与装置２を制御する。
【００２２】
ところで、飲食店において顧客が顧客端末で撮影した料理写真をサーバーに送信すると、サーバーによってクーポンが発行されて、顧客端末の画面にクーポンの情報が表示されるサービスシステムが知られている。前記サービスシステムでは、顧客端末からサーバーに送信される画像が本当に前記飲食店で撮影された料理写真であるかどうかを確認する処理は特に行われない。よって、前記飲食店を実際には利用していないユーザーに対してクーポンを発行してしまうおそれがある。これに対して、本実施形態に係る特典付与システム１によれば、施設を実際に利用したユーザーにのみ特典情報を提供することが可能である。
【００２３】
具体的に、制御部２１は、図１に示されるように、受信処理部２１１、送信処理部２１２、関連付け処理部２１３などの各種の処理部を含む。なお、制御部２１は、前記ＣＰＵで前記特典付与プログラムに従った各種の処理を実行することによって前記各種の処理部として機能する。また、制御部２１に含まれる一部又は全部の処理部が電子回路で構成されていてもよい。なお、前記特典付与プログラムは、複数のプロセッサーを前記各種の処理部として機能させるためのプログラムであってもよい。
【００２４】
受信処理部２１１は、施設（ここでは店舗）を特定するための施設特定情報と、画像データ（例えば、図１０に示される画像データＧ４）に含まれる撮影位置情報とをユーザー端末３から受信する。前記画像データは、例えば、ユーザー端末３の撮像部３５により撮像された画像データである。なお、受信処理部２１１は、前記画像データから抽出された前記撮影位置情報だけをユーザー端末３から受信してもよいし、前記撮影位置情報を含む前記画像データ全体をユーザー端末３から受信してもよい。また、受信処理部２１１は、前記施設特定情報、前記撮影位置情報、及び前記画像データの少なくとも１つを、前記ユーザー端末３から間接的に受信してもよい。例えば、受信処理部２１１は、前記ユーザー端末３からファイルサーバーにアップロードされた前記画像データを、前記ファイルサーバーから受信してもよい。なお、前記画像データは、ユーザー端末３とは独立したデジタルカメラで撮影された画像データであってもよい。この場合、前記デジタルカメラで撮影された画像データが、半導体メモリー又は無線通信などを通じてユーザー端末３に転送されて、記憶部３２に保存される。
【００２５】
前記施設特定情報は、例えば、店舗の名称、店舗の所在地、店舗別ページ（すなわち、店舗の情報を提供するために店舗ごとに作成されたウェブページ）のＵＲＬなどである。前記施設特定情報は、例えば、ユーザー端末３においてユーザーにより入力又は選択されて、ユーザー端末３から特典付与装置２に送信される。
【００２６】
前記撮影位置情報は、前記画像データの撮影時にＧＰＳ（Ｇｌｏｂａｌ  Ｐｏｓｉｔｉｏｎｉｎｇ  Ｓｙｓｔｅｍ）センサー３６により検出される位置情報（すなわち、ユーザー端末３の現在位置の経度及び緯度を示す情報）である。前記画像データには、Ｅｘｉｆ（Ｅｘｃｈａｎｇｅａｂｌｅ  ｉｍａｇｅ  ｆｉｌｅ  ｆｏｒｍａｔ）情報として前記撮影位置情報が含まれる。前記Ｅｘｉｆ情報には、前記撮影位置情報の他に、撮影日時を示す撮影日時情報なども含まれる。
【００２７】
送信処理部２１２は、受信処理部２１１により受信された前記施設特定情報が示す店舗の所在地と前記撮影位置情報が示す撮影位置とが一致又は予め定められた範囲内である場合に、前記店舗で利用可能な特典を示す特典情報をユーザー端末３に送信する。例えば、送信処理部２１２は、店舗情報Ｄ１を参照して、前記施設特定情報が示す店舗の所在地の経度及び緯度の情報を取得する。そして、送信処理部２１２は、前記店舗の所在地の経度及び緯度と、前記撮影位置情報が示す撮影位置の経度及び緯度とを比較して、前記店舗の所在地と前記撮影位置情報が示す撮影位置とが一致又は予め定められた範囲内である場合（例えば、両者の距離が予め定められた距離以下である場合）に、前記特典情報をユーザー端末３に送信する。したがって、店舗を実際に利用したユーザーにのみ特典情報を提供することが可能である。
【００２８】
前記特典情報は、例えば、前記店舗で利用可能な電子クーポン（例えば、割引クーポン、値引きクーポン、無料クーポンなど）の情報（以下、クーポン情報と称す）である。以下では、前記特典情報がクーポン情報である場合について説明する。
【００２９】
関連付け処理部２１３は、前記施設特定情報が示す店舗の所在地と前記撮影位置情報が示す撮影位置とが一致又は予め定められた範囲内である場合に、前記画像データとクーポン情報とを関連付ける。これにより、前記画像データとクーポン情報とが関連付けられるので、前記画像データを電子クーポンとして利用することが可能となる。
【００３０】
前記画像データとクーポン情報とを関連付ける方法としては、種々の方法が考えられる。例えば、関連付け処理部２１３は、前記画像データと前記クーポン情報との対応関係を示す対応関係情報Ｄ２（図３参照）を記憶部２２に記憶させることによって、前記画像データと前記クーポン情報とを関連付けてもよい。対応関係情報Ｄ２には、図３に示されるように、前記画像データごとに、対応する「ユーザーＩＤ」、「画像ＩＤ」、「クーポンＩＤ」などの情報が含まれる。「ユーザーＩＤ」は、ユーザー端末３のユーザーを示すユーザー識別情報である。すなわち、図３に示される対応関係情報Ｄ２は、前記画像データと前記ユーザー識別情報との対応関係も示している。「ユーザーＩＤ」は、例えば、ユーザー端末３のユーザーを認証するユーザー認証処理の際、又はユーザー端末３から前記施設特定情報及び前記撮影位置情報を受信する際などに、受信処理部２１１によりユーザー端末３から受信される。「画像ＩＤ」は、前記画像データを識別するための識別情報であって、例えば、前記画像データのファイル名、前記画像データのハッシュ値などである。なお、受信処理部２１１が前記撮影位置情報を含む前記画像データをユーザー端末３から受信する場合、「画像ＩＤ」の代わりに、又は「画像ＩＤ」に加えて、前記画像データ自体（例えば、ＪＰＥＧファイルなど）が対応関係情報Ｄ２として記憶部２２に記憶されてもよい。「クーポンＩＤ」は、前記クーポン情報を識別するための識別情報である。
【００３１】
また、受信処理部２１１が前記撮影位置情報を含む前記画像データをユーザー端末３から受信する場合、関連付け処理部２１３は、前記画像データに前記クーポン情報を合成した合成画像データ（例えば、図１１に示される合成画像データＣ１）を生成することによって、前記画像データと前記クーポン情報とを関連付けてもよい。なお、前記関連付け処理部２１３は、前記クーポン画像が視認可能な態様で、前記画像データに前記クーポン情報を合成してもよいし、前記クーポン画像の少なくとも一部が視認不可能な態様で、前記画像データに前記クーポン情報を合成してもよい。前記クーポン画像が視認不可能な態様で前記画像データに前記クーポン情報を合成する方法としては、例えば、電子透かしにより前記画像データに前記クーポン画像を埋め込む方法、前記画像データのメタデータとして前記画像データに前記クーポン情報を付加する方法などが考えられる。なお、前記クーポン画像が視認可能な態様で合成された前記合成画像データを店舗で使用する場合には、例えば、前記合成画像データの画像を店員に提示するだけで使用することができる。一方、前記クーポン画像が視認不可能な態様で合成された前記合成画像データを店舗で使用する場合には、例えば、店舗端末などで前記合成画像データから前記クーポン情報を検出する必要がある。なお、前記合成画像データの複製による不正使用を防止するために、前記クーポン情報にシリアル番号が含まれていてもよい。この場合、前記クーポン情報のうち前記シリアル番号のみが視認不可能な状態で前記画像データに合成されてもよい。
【００３２】
送信処理部２１２は、前記画像データに関連付けられた前記クーポン情報、又は前記画像データに前記クーポン情報が合成された前記合成画像データをユーザー端末３に送信する。
【００３３】
なお、送信処理部２１２は、前記画像データを前記ユーザー（すなわち、対応関係情報Ｄ２において前記画像データに関連付けられているユーザー識別情報に対応するユーザー）とは異なるユーザー（以下、「別ユーザー」と称す）宛てに送信するとき、前記画像データに関連付けられている前記クーポン情報とは異なるクーポン情報を前記画像データに合成した合成画像データ（例えば、図１６に示される合成画像データＣ２）として前記別ユーザー宛てに送信してもよい。例えば、送信処理部２１２は、前記画像データに関連付けられている前記クーポン情報と比べて、割引率がより小さいクーポン情報又は値引き額がより小さいクーポン情報を前記画像データに合成した合成画像データを前記別ユーザー宛てに送信してもよい。これにより、店舗を実際に利用した前記ユーザーを、店舗を利用していない前記別ユーザーよりも優遇することができる。もしくは、送信処理部２１２は、前記画像データに関連付けられている前記クーポン情報と比べて、割引率がより大きいクーポン情報又は値引き額がより大きいクーポン情報を前記画像データに合成した合成画像データを前記別ユーザー宛てに送信してもよい。これにより、店舗を利用していない前記別ユーザーの来店を促進する効果を高めることができる。
【００３４】
また、送信処理部２１２は、前記画像データに含まれる特定の被写体（例えば、料理、飲み物、人など）の種類又は数に応じて異なる前記クーポン情報をユーザー端末３に送信してもよい。例えば、送信処理部２１２は、前記被写体が多数のグラスである場合に、飲み放題割引クーポンを前記クーポン情報としてユーザー端末３に送信してもよい。また、送信処理部２１２は、前記被写体がデザートである場合に、デザート１品無料クーポンを前記クーポン情報としてユーザー端末３に送信してもよい。また、送信処理部２１２は、前記被写体が大人数の人である場合に、宴会に関連したクーポン（例えば、宴会コース割引クーポン、幹事無料クーポンなど）を前記クーポン情報としてユーザー端末３に送信してもよい。また、送信処理部２１２は、前記被写体が子供である場合に、おもちゃプレゼントクーポンを前記クーポン情報としてユーザー端末３に送信してもよい。
【００３５】
また、送信処理部２１２は、前記画像データに含まれる前記撮影日時情報が示す撮影日時が特定条件を満たしている場合に、前記クーポン情報をユーザー端末３に送信してもよい。例えば、送信処理部２１２は、前記撮影日時が予め定められたキャンペーン期間内であることを条件として、前記クーポン情報をユーザー端末３に送信してもよい。また、送信処理部２１２は、前記撮影日時が過去一定期間内（例えば、過去２年以内）であることを条件として、前記クーポン情報をユーザー端末３に送信してもよい。
【００３６】
［ユーザー端末３］
図１に示されるように、ユーザー端末３は、制御部３１、記憶部３２、操作表示部３３、通信Ｉ／Ｆ３４、撮像部３５、及びＧＰＳセンサー３６などを備える。ユーザー端末３は、店舗の利用者によって携帯される、携帯電話、スマートフォン、タブレット端末などの情報処理装置である。
【００３７】
ＧＰＳセンサー３６は、ＧＰＳ衛星からの信号に基づいて、ユーザー端末３の現在位置の緯度及び経度を示す位置情報を取得する。
【００３８】
撮像部３５は、レンズ及び撮像素子等を有し、撮像素子に入射される光に応じたデジタル画像データを出力する。撮像部３５から出力されるデジタル画像データは、例えばＪＰＥＧ形式の画像データに変換されて記憶部３２に記録される。前記画像データには、前記画像データの撮影時にＧＰＳセンサー３６により検出される位置情報が、前記撮影位置情報として付加される。
【００３９】
なお、他の実施形態では、撮像部３５及びＧＰＳセンサー３６の代わりに、ＧＰＳセンサーを備えたデジタルカメラが用いられてもよい。この場合、前記デジタルカメラで撮影された画像データが、半導体メモリー又は無線通信などを通じてユーザー端末３に転送されて、記憶部３２に保存される。
【００４０】
通信Ｉ／Ｆ３４は、ユーザー端末３を有線又は無線で通信網Ｎ１に接続し、通信網Ｎ１を介して特典付与装置２などの外部機器との間で所定の通信プロトコルに従ったデータ通信を実行するための通信インターフェースである。
【００４１】
操作表示部３３は、各種の情報を表示する液晶ディスプレイ又は有機ＥＬディスプレイのような表示部と、操作を受け付けるハードキー又はタッチパネルなどの操作部とを備えるユーザーインターフェースである。
【００４２】
記憶部３２は、各種の情報を記憶するＨＤＤ又はＳＳＤなどの不揮発性の記憶部である。例えば、記憶部３２には、特典取得プログラム及びブラウザープログラム等の制御プログラムが記憶される。前記特典取得プログラムは、特典付与装置２から前記特典情報を取得するための制御プログラムである。前記ブラウザープログラムは、ＨＴＴＰ（Ｈｙｐｅｒｔｅｘｔ  Ｔｒａｎｓｆｅｒ  Ｐｒｏｔｏｃｏｌ）等の通信プロトコルに従って外部のウェブサーバーからウェブページを取得して操作表示部３３に表示するための制御プログラムである。
【００４３】
制御部３１は、ＣＰＵ、ＲＯＭ、及びＲＡＭなどの制御機器を有する。前記ＣＰＵは、各種の演算処理を実行するプロセッサーである。前記ＲＯＭは、前記ＣＰＵに各種の処理を実行させるためのＢＩＯＳ及びＯＳなどの制御プログラムが予め記憶された不揮発性の記憶部である。前記ＲＡＭは、各種の情報を記憶する揮発性又は不揮発性の記憶部であり、前記ＣＰＵが実行する各種の処理の一時記憶メモリー（作業領域）として使用される。そして、制御部３１は、前記ＲＯＭ又は記憶部３２に予め記憶された各種の制御プログラムを前記ＣＰＵで実行することによりユーザー端末３を制御する。
【００４４】
具体的に、制御部３１は、図１に示されるように、受付処理部３１１、送信処理部３１２、受信処理部３１３、表示処理部３１４などの各種の処理部を含む。なお、制御部２１は、前記ＣＰＵで前記特典取得プログラムに従った各種の処理を実行することによって前記各種の処理部として機能する。また、制御部２１に含まれる一部又は全部の処理部が電子回路で構成されていてもよい。なお、前記特典取得プログラムは、複数のプロセッサーを前記各種の処理部として機能させるためのプログラムであってもよい。
【００４５】
受付処理部３１１は、前記施設特定情報の入力操作又は選択操作を受け付ける。例えば、受付処理部３１１は、図８に示される店舗名入力画面Ｐ３を通じて、店舗名の入力操作を受け付けてもよい。また、受付処理部３１１は、図９に示される店舗選択画面Ｐ４を通じて、店舗の選択操作を受け付けてもよい。
【００４６】
送信処理部３１２は、前記画像データ（例えば、図１０に示される画像データＧ４）に含まれる前記撮影位置情報と、前記施設特定情報（例えば、店舗名入力画面Ｐ３で入力された店舗名、又は店舗選択画面Ｐ４で選択された店舗の店舗名）とを特典付与装置２に送信する。
【００４７】
受信処理部３１３は、前記店舗で利用可能なクーポンを示すクーポン情報を特典付与装置２から受信する。なお、受信処理部３１３は、前記クーポン情報のみを特典付与装置２から受信してもよいし、前記クーポン情報が合成された前記合成画像データを特典付与装置２から受信してもよい。
【００４８】
表示処理部３１４は、前記画像データを、前記クーポン情報が重畳表示される第１表示態様と前記クーポン情報が重畳表示されない第２表示態様との間で表示態様を切替可能に操作表示部３３に表示させる。例えば、表示処理部３１４は、図１１及び図１２に示される操作キーＫ６１が操作されるごとに、画像データＧ４にクーポン情報が合成された合成画像データＣ１と、前記クーポン情報が合成される前の画像データＧ４とを交互に操作表示部３３に表示させてもよい。これにより、ユーザーは、前記画像データのうち前記クーポン情報と重なって隠れてしまった部分を必要に応じて容易に確認することができる。
【００４９】
［特典取得処理］
以下、図４を参照しつつ、ユーザー端末３の制御部３１によって実行される特典取得処理について説明する。なお、制御部３１は、前記特典取得プログラムに従って前記特典取得処理を実行する。
【００５０】
なお、本発明は、当該特典取得処理に含まれる一又は複数のステップを実行する特典取得方法の発明として捉えることができ、ここで説明する当該特典取得処理に含まれる一又は複数のステップが適宜省略されてもよい。なお、前記特典取得処理における各ステップは同様の作用効果を生じる範囲で実行順序が異なってもよい。さらに、ここでは制御部３１によって当該特典取得処理における各ステップが実行される場合を例に挙げて説明するが、複数のプロセッサーによって当該特典取得処理における各ステップが分散して実行される特典取得方法も他の実施形態として考えられる。
【００５１】
＜ステップＳ１１＞
まず、ステップＳ１１において、制御部３１は、画像データの選択操作を受け付ける。例えば、制御部３１は、図６に示されるような画像選択画面Ｐ１を操作表示部３３に表示させる。画像選択画面Ｐ１には、ユーザー端末３の記憶部３２に保存されている画像データの一覧が表示される。なお、画像選択画面Ｐ１には、通信網Ｎ１を介してユーザー端末３と接続されるファイルサーバーに保存されている画像データが表示されてもよい。当該ステップＳ１１の処理は、制御部３１の受付処理部３１１により実行される。
【００５２】
ユーザーは、画像選択画面Ｐ１に表示されている複数の画像データＧ１〜Ｇ４の中から、クーポン化したい画像データを選択（例えば、タップ）する。画像選択画面Ｐ１において、いずれかの画像データが選択されると、処理がステップＳ１２に移行する。以下では、画像選択画面Ｐ１において画像データＧ４が選択された場合について説明する。
【００５３】
＜ステップＳ１２＞
ステップＳ１２において、制御部３１は、前記施設特定情報の入力操作又は選択操作を受け付ける。例えば、制御部３１は、図７に示されるような操作選択画面Ｐ２を操作表示部３３に表示させる。操作選択画面Ｐ２には、前記ステップＳ１１で選択された画像データ（ここでは、画像データＧ４）が表示される。また、操作選択画面Ｐ２には、操作キーＫ２１及び操作キーＫ２２が含まれる。
【００５４】
操作選択画面Ｐ２における操作キーＫ２１が操作されると、制御部３１は、図８に示されるような店舗名入力画面Ｐ３を操作表示部３３に表示させる。店舗名入力画面Ｐ３には、店舗名を入力するための入力欄Ｂ３１と、操作キーＫ３１とが含まれる。ユーザーは、例えばソフトウェアキーボードを利用して、前記ステップＳ１１で選択された画像データ（ここでは、画像データＧ４）が撮影された店舗の店舗名を入力欄Ｂ３１に入力する。そして、操作キーＫ３１が操作されると、処理がステップＳ１３に移行する。
【００５５】
一方、操作選択画面Ｐ２における操作キーＫ２２が操作されると、制御部３１は、図９に示されるような店舗選択画面Ｐ４を操作表示部３３に表示させる。店舗選択画面Ｐ４には、予め登録された複数の店舗に対応する複数の操作キーＫ４１〜Ｋ４４が含まれる。また、店舗選択画面Ｐ４には、スクロールキーＫ４５及びスクロールキーＫ４６が含まれる。スクロールキーＫ４５又はスクロールキーＫ４６が操作されると、店舗選択画面Ｐ４に表示中の操作キーＫ４１〜Ｋ４４が、別の店舗に対応する操作キーに変更される。操作キーＫ４１〜Ｋ４４の各々には、店舗名、エリア、最寄り駅などの情報が表示される。これらの情報は、例えば、通信網Ｎ１を通じて特典付与装置２から受信されて、対応する操作キーに表示される。他の実施形態では、これらの情報がユーザー端末３の記憶部３２から読み出されて、対応する操作キーに表示されてもよい。ユーザーは、これらの情報を参照して、前記ステップＳ１１で選択された画像データ（ここでは、画像データＧ４）が撮影された店舗を選択する。そして、選択された店舗に対応する操作キーが操作されると、処理がステップＳ１３に移行する。
【００５６】
＜ステップＳ１３＞
ステップＳ１３において、制御部３１は、施設特定情報及び画像データを特典付与装置２に送信する。例えば、制御部３１は、図１０に示されるような確認画面Ｐ５を操作表示部３３に表示させる。確認画面Ｐ５には、前記ステップＳ１１で選択された画像データ（ここでは、画像データＧ４）が表示される。また、確認画面Ｐ５には、店舗名入力画面Ｐ３において入力された店舗名、又は店舗選択画面Ｐ４で選択された店舗の店舗名が表示される。確認画面Ｐ５に含まれる操作キーＫ５１が操作されると、制御部３１は、前記店舗名及び画像データＧ４を特典付与装置２に送信する。当該ステップＳ１３の処理は、制御部３１の送信処理部３１２により実行される。
【００５７】
なお、他の実施形態では、制御部３１は、画像データＧ４を送信する代わりに、画像データＧ４から前記撮影位置情報を抽出して特典付与装置２に送信してもよい。
【００５８】
＜ステップＳ１４＞
ステップＳ１４において、制御部３１は、特典付与装置２から合成画像データを受信する。前記合成画像データは、前記ステップＳ１３で特典付与装置２に送信された画像データに、前記ステップＳ１３で特典付与装置２に送信された施設特定情報が示す店舗で使用可能なクーポン情報が合成された画像データである。受信された合成画像データは、必要に応じて前記合成画像データの元になった画像データと関連付けて、記憶部３２に保存される。当該ステップＳ１４の処理は、制御部３１の受信処理部３１３により実行される。
【００５９】
＜ステップＳ１５＞
ステップＳ１５において、制御部３１は、前記ステップＳ１４で受信した合成画像データを操作表示部３３に表示させる。例えば、制御部３１は、図１１に示されるようなクーポン獲得画面Ｐ６を操作表示部３３に表示させる。クーポン獲得画面Ｐ６には、画像データＧ４に基づいて生成された合成画像データＣ１が表示される。合成画像データＣ１には、前記クーポン情報として「２０％割引クーポン」及び「居酒屋○○」の文字列が重畳表示されている。ユーザーは、合成画像データＣ１を「居酒屋○○」の店員に提示することによって、合成画像データＣ１を「２０％割引クーポン」として使用することが可能である。当該ステップＳ１５の処理は、制御部３１の表示処理部３１４により実行される。
【００６０】
＜ステップＳ１６＞
ステップＳ１６において、制御部３１は、表示態様切替操作が行われたか否かを判断する。例えば、制御部３１は、クーポン獲得画面Ｐ６に含まれる操作キーＫ６１が操作された場合に、前記表示態様切替操作が行われたと判断する。操作キーＫ６１は、合成画像データ（ここでは、合成画像データＣ１）に重畳表示されているクーポン情報（ここでは、「２０％割引クーポン」及び「居酒屋○○」の文字列）を非表示にしたり、再表示させたりするための操作キーである。そして、前記表示態様切替操作が行われたと判断されると（Ｓ１６：Ｙｅｓ）、処理がステップＳ１７に移行する。一方、前記表示態様切替操作が行われていないと判断されると（Ｓ１６：Ｎｏ）、処理がステップＳ１８に移行する。
【００６１】
＜ステップＳ１７＞
ステップＳ１７において、制御部３１は、クーポン獲得画面Ｐ６における合成画像データの表示態様を切り替える。例えば、図１１に示されるクーポン獲得画面Ｐ６において操作キーＫ６１が操作された場合、制御部３１は、図１２に示されるようなクーポン獲得画面Ｐ６を操作表示部３３に表示させる。すなわち、制御部３１は、図１１に示される合成画像データＣ１の代わりに、合成画像データＣ１の元になった画像データＧ４をクーポン獲得画面Ｐ６に表示する。これにより、クーポン獲得画面Ｐ６において前記クーポン情報が非表示となる。これにより、ユーザーは、合成画像データＣ１の背景画像（すなわち、合成画像データＣ１の元になった画像データＧ４）における前記クーポン情報と重なって隠れてしまった部分を必要に応じて容易に確認することができる。一方、図１２に示されるクーポン獲得画面Ｐ６において操作キーＫ６１が操作された場合、制御部３１は、図１１に示されるクーポン獲得画面Ｐ６を操作表示部３３に再表示させる。これにより、クーポン獲得画面Ｐ６において前記クーポン情報が再表示される。当該ステップＳ１７の処理は、制御部３１の表示処理部３１４により実行される。
【００６２】
＜ステップＳ１８＞
ステップＳ１８において、制御部３１は、終了操作が行われたか否かを判断する。例えば、制御部３１は、クーポン獲得画面Ｐ６に含まれる操作キーＫ６２が操作された場合に、前記終了操作が行われたと判断する。そして、前記終了操作が行われたと判断されると（Ｓ１８：Ｙｅｓ）、前記特典取得処理は終了する。一方、前記終了操作が行われていないと判断されると（Ｓ１８：Ｎｏ）、処理が前記ステップＳ１６に戻る。
【００６３】
［特典付与処理］
以下、図５を参照しつつ、特典付与装置２の制御部２１によって実行される特典付与処理について説明する。なお、制御部２１は、前記特典付与プログラムに従って前記特典付与処理を実行する。
【００６４】
なお、本発明は、当該特典付与処理に含まれる一又は複数のステップを実行する特典付与方法の発明として捉えることができ、ここで説明する当該特典付与処理に含まれる一又は複数のステップが適宜省略されてもよい。なお、前記特典付与処理における各ステップは同様の作用効果を生じる範囲で実行順序が異なってもよい。さらに、ここでは制御部２１によって当該特典付与処理における各ステップが実行される場合を例に挙げて説明するが、複数のプロセッサーによって当該特典付与処理における各ステップが分散して実行される特典付与方法も他の実施形態として考えられる。
【００６５】
＜ステップＳ２１＞
まず、ステップＳ２１において、制御部２１は、ユーザー端末３から施設特定情報及び画像データを受信する。具体的に、制御部２１は、前述の図４におけるステップＳ１３においてユーザー端末３の制御部３１が送信する施設特定情報及び画像データを、通信網Ｎ１を通じて受信する。当該ステップＳ２１の処理は、制御部２１の受信処理部２１１により実行される。
【００６６】
＜ステップＳ２２＞
ステップＳ２２において、制御部２１は、前記ステップＳ２１で受信した施設特定情報と、前記ステップＳ２１で受信した画像データに含まれる撮影位置情報とが整合しているか否かを判断する。具体的に、制御部２１は、店舗情報Ｄ１を参照して、前記施設特定情報が示す店舗の所在地を示す所在地情報を取得する。そして、制御部２１は、前記所在地情報が示す所在地と、前記撮影位置情報が示す撮影位置とが一致又は予め定められた範囲内である場合に、前記施設特定情報と前記撮影位置情報とが整合していると判断する。そして、前記施設特定情報と前記撮影位置情報とが整合していると判断されると（Ｓ２２：Ｙｅｓ）、処理がステップＳ２３に移行する。一方、前記施設特定情報と前記撮影位置情報とが整合していないと判断されると（Ｓ２２：Ｎｏ）、処理がステップＳ２８に移行する。
【００６７】
＜ステップＳ２３＞
ステップＳ２３において、制御部２１は、前記画像データに含まれる撮影日時情報が示す撮影日時が特定条件を満たすか否かを判断する。前記特定条件は、例えば、前記撮影日時が予め定められたキャンペーン期間内であること、前記撮影日時が過去一定期間内（例えば、過去２年以内）であることなどである。そして、前記撮影日時が前記特定条件を満たすと判断されると（Ｓ２３：Ｙｅｓ）、処理がステップＳ２５に移行する。一方、前記撮影日時が前記特定条件を満たさないと判断されると（Ｓ２３：Ｎｏ）、処理がステップＳ２４に移行する。
【００６８】
＜ステップＳ２４＞
ステップＳ２４において、制御部２１は、ユーザー端末３にエラー信号を送信する。前記エラー信号は、例えば、前記画像データのクーポン化に失敗したことを示す信号である。前記エラー信号は、例えば、ユーザー端末３の操作表示部３３に「この画像データは、店舗内で撮影されたものではありませんので、クーポン化することができません。」、「この画像データは、キャンペーン期間内に撮影されたものではありませんので、クーポン化することができません。」などのエラーメッセージを表示させるための信号であってもよい。そして、前記特典付与処理が終了される。
【００６９】
＜ステップＳ２５＞
一方、ステップＳ２５において、制御部２１は、前記画像データに含まれる被写体を検出する。前記画像データから被写体を検出する方法としては種々の方法が考えられる。例えば、制御部２１は、機械学習によって得られた学習結果に基づく人工知能によって前記画像データに含まれる特定の被写体（例えば、料理、飲み物、人など）の種類又は数を検出してもよい。
【００７０】
＜ステップＳ２６＞
ステップＳ２６において、制御部２１は、前記画像データに合成すべきクーポン情報を決定する。ここでは、制御部２１は、前記ステップＳ２５で検出された前記特定の被写体の種類又は数に応じて前記クーポン情報を決定する。なお、他の実施形態では、制御部２１は、前記画像データに含まれる被写体によらず、店舗ごとに予め定められた特定のクーポン情報を、前記画像データに合成すべきクーポン情報として決定してもよい。
【００７１】
＜ステップＳ２７＞
ステップＳ２７において、制御部２１は、合成画像データを生成する。具体的に、制御部２１は、前記画像データに前記ステップＳ２６で決定されたクーポン情報を合成することによって、前記合成画像データを生成する。例えば、制御部２１は、図１０に示される画像データＧ４に、前記ステップＳ２６で決定されたクーポン情報（ここでは、「２０％割引クーポン」）を合成することによって、図１１に示される合成画像データＣ１を生成する。当該ステップＳ２７の処理は、制御部２１の関連付け処理部２１３により実行される。
【００７２】
＜ステップＳ２８＞
ステップＳ２８において、制御部２１は、前記ステップＳ２７で生成された合成画像データをユーザー端末３に送信する。そして、前記特典付与処理が終了される。当該ステップＳ２８の処理は、制御部２１の送信処理部２１２により実行される。
【００７３】
［別ユーザーへの特典付与処理］
特典付与装置２は、ユーザー端末３のユーザーの要求に応じて、前記ユーザー端末３のユーザーとは異なるユーザー（以下、別ユーザーと称す）宛てにクーポン情報を送信することが可能である。以下、図１３〜図１６を参照しつつ、特典付与装置２の制御部２１により実行される別ユーザーへの特典付与処理について説明する。
【００７４】
図１３は、ユーザー端末３の操作表示部３３に表示される保有クーポン表示画面Ｐ７の一例を示している。ユーザー端末３の操作表示部３３に対して予め定められた操作（例えば、特定のアイコンの操作、特定のメニューボタンの操作など）が行われると、ユーザー端末３の制御部３１は、保有クーポン表示画面Ｐ７を操作表示部３３に表示させる。
【００７５】
保有クーポン表示画面Ｐ７には、記憶部３２に保存されている前記合成画像データ（すなわち、クーポン化された画像データ）が表示される。保有クーポン表示画面Ｐ７には、スクロールキーＫ７１及びスクロールキーＫ７２が含まれる。ユーザーは、スクロールキーＫ７１又はスクロールキーＫ７２を操作することによって、記憶部３２に保存されている合成画像データのうちの任意の合成画像データを選択的に表示させることができる。図１３に示される保有クーポン表示画面Ｐ７では、合成画像データＣ１が表示されている。ユーザーは、保有クーポン表示画面Ｐ７に所望の合成画像データを表示させて、当該合成画像データを店舗の店員に提示することによって、当該合成画像データを電子クーポンとして使用することができる。
【００７６】
保有クーポン表示画面Ｐ７には、操作キーＫ７３が含まれる。操作キーＫ７３は、図１１又は図１２に示される操作キーＫ６１と同様に、保有クーポン表示画面Ｐ７に表示されている合成画像データ（ここでは、合成画像データＣ１）に重畳表示されているクーポン情報（ここでは、「２０％割引クーポン」及び「居酒屋○○」の文字列）を非表示にしたり、再表示させたりするための操作キーである。
【００７７】
保有クーポン表示画面Ｐ７には、操作キーＫ７４が含まれる。操作キーＫ７４は、保有クーポン表示画面Ｐ７に表示されている合成画像データを電子クーポンとして使用することができる店舗（ここでは、「居酒屋○○」）と同じ店舗で使用することができる別の電子クーポンを、任意の別ユーザー宛てに送信するための操作キーである。操作キーＫ７４が操作されると、ユーザー端末３の制御部３１は、図１４に示されるような宛先アドレス入力画面Ｐ８を操作表示部３３に表示させる。
【００７８】
宛先アドレス入力画面Ｐ８には、宛先のメールアドレスを入力するための入力欄Ｂ８１と、操作キーＫ８１とが含まれる。ユーザーは、例えばソフトウェアキーボードを利用して、所望の別ユーザーのメールアドレスを入力欄Ｂ８１に入力する。そして、操作キーＫ８１が操作されると、ユーザー端末３の制御部３１は、保有クーポン表示画面Ｐ７に表示されていた合成画像データ（ここでは、合成画像データＣ１）の元になった画像データ（ここでは、画像データＧ４）と、入力欄Ｂ８１に入力されたメールアドレスとを特典付与装置２に送信する。なお、前記画像データ（ここでは、画像データＧ４）がすでに特典付与装置２の記憶部２２に保存されている場合は、前記画像データを送信する代わりに、前記画像データに対応する画像ＩＤが特典付与装置２に送信されてもよい。
【００７９】
以下、図１５を参照しつつ、特典付与装置２の制御部２１によって実行される別ユーザーへの特典付与処理について説明する。なお、制御部２１は、前記特典付与プログラムに従って、別ユーザーへの特典付与処理を実行する。
【００８０】
なお、本発明は、当該別ユーザーへの特典取得処理に含まれる一又は複数のステップを実行する特典取得方法の発明として捉えることができ、ここで説明する当該別ユーザーへの特典取得処理に含まれる一又は複数のステップが適宜省略されてもよい。なお、前記別ユーザーへの特典取得処理における各ステップは同様の作用効果を生じる範囲で実行順序が異なってもよい。さらに、ここでは制御部３１によって当該別ユーザーへの特典取得処理における各ステップが実行される場合を例に挙げて説明するが、複数のプロセッサーによって当該別ユーザーへの特典取得処理における各ステップが分散して実行される特典取得方法も他の実施形態として考えられる。
【００８１】
＜ステップＳ３１＞
ステップＳ３１において、制御部２１は、ユーザー端末３から画像データ及びメールアドレスを受信する。前記画像データは、図１３に示される保有クーポン表示画面Ｐ７に表示されていた合成画像データ（ここでは、合成画像データＣ１）の元になった画像データ（ここでは、画像データＧ４）である。なお、前記画像データがすでに特典付与装置２の記憶部２２に保存されている場合は、ユーザー端末３からの前記画像データの受信を省略してもよい。前記メールアドレスは、図１４に示される宛先アドレス入力画面Ｐ８における入力欄Ｂ８１に入力されたメールアドレスである。
【００８２】
＜ステップＳ３２＞
ステップＳ３２において、制御部２１は、前記画像データ（ここでは、画像データＧ４）に合成すべきクーポン情報を決定する。ここでは、制御部２１は、対応関係情報Ｄ２において前記画像データに関連付けられているクーポン情報（すなわち、ユーザー端末３のユーザーに付与されたクーポン情報）とは異なるクーポン情報を、前記画像データに合成すべきクーポン情報として決定する。例えば、制御部２１は、前記画像データに関連付けられているクーポン情報と比べて、割引率がより小さいクーポン情報又は値引き額がより小さいクーポン情報を、前記画像データに合成すべきクーポン情報として決定する。
【００８３】
なお、他の実施形態では、前記ステップＳ３２で決定されるクーポン情報が、店舗ごとに予め設定されていてもよい。この場合、制御部２１は、店舗ごとに予め設定されているクーポン情報を、前記画像データに合成すべきクーポン情報として決定する。
【００８４】
＜ステップＳ３３＞
ステップＳ３３において、制御部２１は、合成画像データを生成する。具体的に、制御部２１は、前記画像データ（ここでは、画像データＧ４）に前記ステップＳ３２で決定されたクーポン情報を合成することによって、前記合成画像データを生成する。例えば、制御部２１は、保有クーポン表示画面Ｐ７に表示されていた合成画像データ（ここでは、合成画像データＣ１）の元になった画像データ（ここでは、画像データＧ４）に、前記ステップＳ３２で決定されたクーポン情報（ここでは、「１０％割引クーポン」）を合成することによって、図１６に示される合成画像データＣ２を生成する。こうして、ユーザー端末３のユーザーに付与されたクーポン情報とは異なるクーポン情報が合成された合成画像データＣ２が生成される。当該ステップＳ３３の処理は、制御部２１の関連付け処理部２１３により実行される。
【００８５】
＜ステップＳ３４＞
ステップＳ３４において、制御部２１は、前記ステップＳ３３で生成された合成画像データを含む電子メールメッセージを生成する。例えば、制御部２１は、図１６に示されるような合成画像データＣ２を含む電子メールメッセージを生成する。
【００８６】
＜ステップＳ３５＞
ステップＳ３５において、制御部２１は、前記ステップＳ３４で生成された電子メールメッセージを送信する。具体的に、制御部２１は、前記ステップＳ３４で生成された電子メールメッセージを、通信網Ｎ１を通じて、前記ステップＳ３１で受信したメールアドレス宛てに送信する。当該ステップＳ３５の処理は、制御部２１の送信処理部２１２により実行される。そして、別ユーザーへの特典付与処理が終了される。
【００８７】
以上説明したように、本実施形態に係る特典付与システム１では、店舗を特定するための施設特定情報と、画像データとがユーザー端末３から特典付与装置２に送信される。そして、前記施設特定情報が示す店舗の所在地と、前記画像データに含まれる撮影位置情報が示す撮影位置とが一致又は予め定められた範囲内である場合に、前記画像データにクーポン情報を合成した合成画像データが特典付与装置２からユーザー端末３に送信される。したがって、本実施形態に係る特典付与システム１によれば、店舗を実際に利用したユーザーにのみ特典情報を提供することが可能である。
【００８８】
［変形例］
なお、本実施形態では、ユーザー端末３から特典付与装置２に画像データが送信され、特典付与装置２において前記画像データにクーポン情報を合成した合成画像データが生成され、特典付与装置２からユーザー端末３に前記合成画像データが送信されるが、本発明はこれに限定されない。他の実施形態では、ユーザー端末３から特典付与装置２に前記画像データから抽出された撮影位置情報が送信され、特典付与装置２からユーザー端末３に前記クーポン情報が送信され、ユーザー端末３において前記画像データに前記クーポン情報を合成した合成画像データが生成されてもよい。もしくは、ユーザー端末３において、特典付与装置２から受信されたクーポン情報が、前記画像データと関連付けて記憶部３２に保存されてもよい。そして、例えば、図１３に示される保有クーポン表示画面Ｐ７などにおいて、随時に前記画像データ上に前記クーポン情報を重ねて表示させてもよい。
【００８９】
また、本実施形態では、図６に示される画像選択画面Ｐ１において画像データが選択された後に、図８に示される店舗名入力画面Ｐ３又は図９に示される店舗選択画面Ｐ４を通じて、前記画像データが撮影された店舗に対応する施設特定情報が入力又は選択されるが、本発明はこれに限定されない。他の実施形態では、施設特定情報が入力又は選択された後に、前記施設特定情報に対応する店舗で撮影された画像データが選択されてもよい。例えば、ユーザー端末３において、前記ブラウザープログラムに従って操作表示部３３に図１７に示されるような店舗別ページＰ９が表示された後、店舗別ページＰ９に含まれる操作キーＫ９１が操作された場合に、店舗別ページＰ９に対応する店舗で撮影された画像データが選択されてもよい。そして、選択された画像データと、施設特定情報（例えば、店舗別ページＰ９のＵＲＬ、店舗別ページＰ９に対応する店舗の店舗ＩＤ、店舗名など）とがユーザー端末３から特典付与装置２に送信されてもよい。
【００９０】
また、本実施形態では、クーポン化される画像データが静止画データである場合について説明したが、本発明はこれに限定されず、クーポン化される画像データが動画像データであってもよい。
【符号の説明】
【００９１】
１      特典付与システム
２      特典付与装置
２１    制御部
２１１  受信処理部
２１２  送信処理部
２１３  関連付け処理部
２２    記憶部
２３    通信Ｉ／Ｆ
３      ユーザー端末
３１    制御部
３１１  受付処理部
３１２  送信処理部
３１３  受信処理部
３１４  表示処理部
３２    記憶部
３３    操作表示部
３４    通信Ｉ／Ｆ
３５    撮像部
３６    ＧＰＳセンサー
【図１】
2019219797.tif 000003
【図２】
2019219797.tif 000004
【図３】
2019219797.tif 000005
【図４】
2019219797.tif 000006
【図５】
2019219797.tif 000007
【図６】
2019219797.tif 000008
【図７】
2019219797.tif 000009
【図８】
2019219797.tif 000010
【図９】
2019219797.tif 000011
【図１０】
2019219797.tif 000012
【図１１】
2019219797.tif 000013
【図１２】
2019219797.tif 000014
【図１３】
2019219797.tif 000015
【図１４】
2019219797.tif 000016
【図１５】
2019219797.tif 000017
【図１６】
2019219797.tif 000018
【図１７】
2019219797.tif 000019